【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
少なくとも２つの供給ラインに流れる各々の流体を任意の比率で混合させる流体混合装置であって、
各々の該供給ライン（１、２）が、
制御用流体の圧力操作により流体の圧力を制御する流体制御弁（４、６）と、
流体の実流量を計測する流量計測器（３、５）とをそれぞれ具備することを特徴とする手動式または開ループ制御式流体混合装置。
【請求項２】
各々の前記供給ラインが、流体の流れを開放又は遮断するための開閉弁（１０、１３）を少なくとも１つさらに具備することを特徴とする請求項１記載の手動式または開ループ制御式流体混合装置。
【請求項３】
各々の前記供給ラインが、開口面積を変化させることにより流体の流量が調節可能な絞り弁（２２、２６）を少なくとも１つさらに具備することを特徴とする請求項１または請求項２に記載の手動式または開ループ制御式流体混合装置。
【請求項４】
各々の前記供給ライン（１、２）の最下流側に、該供給ライン（１、２）の合流部（７）を有することを特徴とする請求項１乃至請求項３のいずれか１項に記載の手動式または開ループ制御式流体混合装置。
【請求項５】
前記合流部直前の該供給ラインに、開閉弁（２８、２９）がそれぞれ配置されてなることを特徴とする請求項４記載の手動式または開ループ制御式流体混合装置。
【請求項６】
前記合流部が、該供給ラインを一つの流路に合流させるマニホールド弁（３０）であることを特徴とする請求項４記載の手動式または開ループ制御式流体混合装置。
【請求項７】
各々の前記供給ラインの中の任意の一つの供給ラインの最上流側に接続される開閉弁（５３５ａ）が設けられた主ラインと、
他の供給ラインの最上流側に接続される開閉弁（５３６ａ）が設けられた少なくとも一つの他のラインとを具備し、
該主ラインの開閉弁（５３５ａ）の上流側と少なくとも一つの該他のラインの開閉弁（５３６ａ）の下流側とが開閉弁（５３７ａ）を介して連通されてなるフラッシング装置（３１）を具備してなることを特徴とする請求項１乃至請求項６のいずれか１項に記載の手動式または開ループ制御式流体混合装置。
【請求項８】
前記各種弁および前記流量計測器が、独立した接続手段を用いずに直接接続されていることを特徴とする請求項１乃至請求項７のいずれか１項に記載の手動式または開ループ制御式流体混合装置。
【請求項９】
前記各種弁および前記流量計測器が、一つのベースブロックに配設されていることを特徴とする請求項１乃至請求項７のいずれか１項に記載の手動式または開ループ制御式流体混合装置。
【請求項１０】
前記各種弁および前記流量計測器が、一つのケーシング内に収納配設されていることを特徴とする請求項１乃至請求項７のいずれか１項に記載の手動式または開ループ制御式流体混合装置。
【請求項１１】
前記流体制御弁（４、６）が、
下部中央に底部まで開放して設けられた第二の空隙（２０９）と第二の空隙（２０９）に連通する入口流路（２１１）と上部に上面が開放して設けられ第二の空隙（２０９）の径よりも大きい径を持つ第一の空隙（２１０）と第一の空隙（２１０）に連通する出口流路（２１２）と第一の空隙（２１０）と第二の空隙（２０９）とを連通し第一の空隙（２１０）の径よりも小さい径を有する連通孔（２１３）とを有し、第二の空隙（２０９）の上面が弁座（２１４）とされた本体（２０１）と、
側面あるいは上面に設けられた給気孔（２１７）と排出孔（２１８）とに連通した円筒状の空隙（２１５）を内部に有し、下端内周面に段差部（２１６）が設けられたボンネット（２０２）と、
ボンネット（２０２）の段差部（２１６）に嵌挿され中央部に貫通孔（２１９）を有するバネ受け（２０３）と、下端部にバネ受け（２０３）の貫通孔（２１９）より小径の第一接合部（２２４）を有し上部に鍔部（２２２）が設けられボンネット（２０２）の空隙（２１５）内部に上下動可能に嵌挿されたピストン（２０４）と、
ピストン（２０４）の鍔部（２２２）下端面とバネ受け（２０３）の上端面で挟持支承されているバネ（２０５）と、
周縁部が本体（２０１）とバネ受け（２０３）との間で挟持固定され、本体（２０１）の第一の空隙（２１０）に蓋する形で第一の弁室（２３１）を形成する中央部が肉厚とされた第一ダイヤフラム（２２７）と、上面中央にピストン（２０４）の第一接合部（２２４）にバネ受け（２０３）の貫通孔（２１９）を貫通して接合固定される第二接合部（２２９）と、下面中央に本体（２０１）の連通孔（２１３）と貫通して設けられた第三接合部（２３０）とを有する第一弁機構体（２０６）と、
本体の第二の空隙（２０９）内部に位置し本体の連通孔（２１３）より大径に設けられた弁体（２３２）と、弁体（２３２）上端面に突出して設けられ第一弁機構体（２０６）の第三接合部（２３０）と接合固定される第四接合部（２３４）と、弁体（２３２）下端面より突出して設けられたロッド（２３５）と、ロッド（２３５）下端面より径方向に延出して設けられた第二ダイヤフラム（２３７）とを有する第二弁機構体（２０７）と、
本体（２０１）の下方に位置し第二弁機構体（２０７）の第二ダイヤフラム（２３７）周縁部を本体（２０１）との間で挟持固定する突出部（２３９）を上部中央に有し、突出部（２３９）の上端部に切欠凹部（２４０）が設けられると共に切欠凹部（２４０）に連通する呼吸孔（２４１）が設けられているベースプレート（２０８）とを具備し、
ピストン（２０４）の上下動に伴って第二弁機構体（２０７）の弁体（２３２）と本体（２０１）の弁座（２１４）とによって形成される流体制御部（２４２）の開口面積が変化するように構成されていることを特徴とする請求項１乃至請求項１０のいずれか１項に記載の手動式または開ループ制御式流体混合装置。
【請求項１２】
前記流体制御弁（４、６）が、
前記ボンネット（２０２）底面と前記ピストン（２０４）上端面、または前記バネ受け（２０３）下端面と前記第一ダイヤフラム（２２７）上面に、バネが挟持支承されたことを特徴とする請求項１１記載の手動式または開ループ制御式流体混合装置。
【請求項１３】
前記流体制御弁が、
流体の入口流路（１４５）、出口流路（１５２）及び、入口流路（１４５）と出口流路（１５２）が連通するチャンバ（１２７）から形成された本体部（１２１）と、弁体（１６５）と第一ダイヤフラム部（１３７）を有する弁部材（１３６）と、弁部材（１３６）の下部及び上部に位置し第一ダイヤフラム部（１３７）より有効受圧面積が小さい第二ダイヤフラム部（１３８）及び第三ダイヤフラム部（１３９）を有し、弁部材（１３６）及び各ダイヤフラム部（１３７、１３８、１３９）が各ダイヤフラム部（１３７、１３８、１３９）の外周部が本体部（１２１）に固定されることによりチャンバ（１２７）内に取りつけられ、かつ各ダイヤフラム部（１３７、１３８、１３９）によってチャンバ（１２７）を第一加圧室（１２８）、第二弁室（１２９）、第一弁室（１３０）、及び第二加圧室（１３１）に区分し、第一加圧室（１２８）は第二ダイヤフラム部（１３８）に対して常時内向きの一定の力を加える手段を有し、第一弁室（１３０）は入口流路（１４５）と連通しており、第二弁室（１２９）は、弁部材（１３６）の弁体（１６５）に対応する弁座（１５０）を有し、また弁座（１５０）に対して第一ダイヤフラム部（１３７）側に位置し第一ダイヤフラム部（１３７）に設けられた連通孔（１６２）にて第一弁室（１３０）と連通している下部第二弁室（１３２）と、第二ダイヤフラム部（１３８）側に位置し出口流路（１５２）と連通して設けられた上部第二弁室（１３３）とに分かれて形成され、弁部材（１３６）の上下動により弁体（１６５）と弁座（１５０）との間の開口面積が変化して下部第二弁室（１３４）の流体圧力が制御される流体制御部（１６８）を有し、第二加圧室（１３１）は、第三ダイヤフラム部（１３９）に対して常時内向きの一定の力を加える手段を有することを特徴とする請求項１乃至請求項１０のいずれか１項に記載の手動式または開ループ制御式流体混合装置。
【請求項１４】
前記流体制御弁が、
前記第一加圧室（１２８）下面と第四ダイヤフラム部（１４０）上面に、バネが挟持支承されたことを特徴とする請求項１３記載の手動式または開ループ制御式流体混合装置。
【請求項１５】
前記絞り弁（２２、２６）が、
上部に設けられた弁室（２５３）の底面に弁座面（２５２）が形成され、弁座面（２５２）の中心に設けられた連通口（２５４）に連通する入口流路（２５５）と弁室（２５３）に連通する出口流路（２５６）を有する本体（２５１）と、
ステムの軸方向の進退移動により連通口（２５４）に挿入可能で接液面の中心から垂下突設された第一弁体（２６１）と弁座面（２５２）に接離可能にされ第一弁体（２６１）から径方向へ隔離した位置に形成された円環状凸条の第二弁体（２６２）と第二弁体（２６２）から径方向へ連続して形成された薄膜部（２６３）とが一体的に設けられた隔膜（２６０）と、
上部にハンドル（２８１）が固着され下部内周面に雌ネジ部（２７８）と外周面に雌ネジ部（２７８）のピッチより大きいピッチを有する雄ネジ部（２７９）を有する第一ステム（２７７）と、
内周面に第一ステム（２７７）の雄ネジ部（２７９）と螺合する雌ネジ部（２８３）を有する第一ステム支持体（２８２）と、
上部外周面に第一ステム（２７７）の雌ネジ部（２７８）に螺合される雄ネジ部（２７０）を有し下端部に隔膜（２６０）が接続される第二ステム（２６９）と、
第一ステム支持体（２８２）の下方に位置し第二ステム（２６９）を上下移動自在かつ回動不能に支承する隔膜押さえ（２７１）と、第一ステム（２７７）と隔膜押さえ（２７１）を固定するボンネット（２８６）とを具備することを特徴とする請求項３乃至請求項１４のいずれか１項に記載の手動式または開ループ制御式流体混合装置。
【請求項１６】
前記流量計測器が、超音波流量計、カルマン渦流量計、超音波式渦流量計、羽根車式流量計、電磁流量計、差圧式流量計、容積式流量計、熱線式流量計または質量流量計であることを特徴とする請求項１乃至請求項１５のいずれか１項に記載の手動式または開ループ制御式流体混合装置。
【請求項１７】
少なくとも２つの供給ラインに流れる各々の流体を任意の比率で混合させる流体混合装置であって、
フッ化水素酸または塩酸並びに純水の２種の流体が、フッ化水素酸または塩酸が１に対して純水が１０〜２００の比率で混合されることを特徴とする請求項１乃至請求項１６のいずれか１項に記載の流体混合装置。
【請求項１８】
少なくとも３つの供給ラインに流れる各々の流体を任意の比率で混合させる流体混合装置であって、
アンモニア水または塩酸、過酸化水素水並びに純水の３種の流体が、アンモニア水または塩酸が１〜３に対して、過酸化水素水が１〜５、純水が１０〜２００の比率で混合されることを特徴とする請求項１乃至請求項１６のいずれか１項に記載の流体混合装置。
【請求項１９】
少なくとも３つの供給ラインに流れる各々の流体を任意の比率で混合させる流体混合装置であって、
フッ化水素酸、フッ化アンモニウム及び純水の３種の流体が、フッ化水素酸が１に対して、フッ化アンモニウムが７〜１０、純水が５０〜１００の比率で混合されることを特徴とする請求項１乃至請求項１６のいずれか１項に記載の流体混合装置。